(57)【要約】【課題】  従来技術では、比較的複雑な形状の内箱を複数個用意しなければならず、また、背面片の前端を背面側に折曲して背面に隣接する内箱の前面片を挟み込むようにして各係止片を設け、組み付けなければならないという問題点があった。【解決手段】  一枚のシート材に、折り曲げしやすいように罫線１２を設け、折り曲げ形成することで上部に開口部を設けて、この開口部を開閉する上蓋片８を有する外箱１と、該外箱１の底部３に対応させて１枚のシート材により連続して凹状部を複数個折り曲げ形成した内箱２の底部を接着剤で接着固定し、外箱１を開放して内箱２の複数個の凹状部を押し付けることで階段状に摺動できる、被収納物を収納・取り出し易くしたケース。【選択図】図２
2011079533.tif 000002
【特許請求の範囲】
【請求項１】
一枚のシート材に、折り曲げしやすいように罫線を設け、折り曲げ形成することで上部に開口部を設けて、この開口部を開閉する上蓋片を有する外箱と、該外箱の底部に対応させて１枚のシート材により連続して凹状部を複数個折り曲げ形成した内箱の底部を接着剤で接着固定し、外箱を開放して内箱の複数個の凹状部を押し付けることで階段状に摺動できる、被収納物を収納・取り出し易くしたことを特徴とするケース。
【発明の詳細な説明】
【技術分野】
【０００１】
本発明は、各種カード（キャッシュカード、プリペイドカード）、ＣＤ（コンパクトディスク）、ＦＤ（フロッピー（登録商標）ディスク）の如き偏平状の被収納物を区画して収納し、開蓋してワンタッチの操作で取り出すのに簡便なケースに関するものである。
【背景技術】
【０００２】
従来技術としては、外箱内に複数個の内箱を摺動自在に収納し、該内箱相互の開口部分をその相互に接触する部分において一方が他方に対して所定の範囲で摺動可能に連結し、内箱の一つを引き出し摺動させたさい、他の内箱もこれに関連して牽引されて階段状に引き出され、内箱内にシートやディスク状の如き被収納物を区画して収納することができるとともに、引き出し時内箱相互が開口部を先にして摺動方向に離間して引き出されることにより内部の被収納部の取り出しに便ならしめた一面に開口部を設けた外箱と、この外箱の内部に引き出し可能に積み重ねて収納され、外箱の開口部と対応する部分に開口部を設けた複数個の内箱とからなり、この内箱の内の最下段の内箱を除くすべての内箱の開口部へ臨む背面片の前端を背面側に折曲して背面に隣接する内箱の前面片を挟み込むようにして各係止片を形成し、この係止片で挟み込まれる前記内箱の頂端縁と係止片の内頂縁間に収納状態で間隔を設け、最下段の内箱を引き出すことによりこれの前記開口部前面片の頂端縁がその上段の前記内箱係止片の内頂縁に当接し、この上段の内箱を前記間隔だけ牽引して引き出し、この引き出しによりさらに次の段の内箱を所定間隔だけ引き出すことにより順次複数個の内箱を外箱の開口部に階段状に引き出すように構成したケース（例えば、特許文献１参照）が存在している。
【先行技術文献】
【特許文献】
【０００３】
【特許文献１】実公昭５７−１５８２９号公報（実用新案登録請求の範囲の欄、考案の詳細な説明の欄、及び図１〜図６を参照）
【発明の概要】
【発明が解決しようとする課題】
【０００４】
前記従来技術は、一面に開口部を設けた外箱と、この外箱の内部に引き出し可能に積み重ねて収納され、外箱の開口部と対応する部分に開口部を設けた複数個の内箱とからなり、この内箱の内の最下段の内箱を除くすべての内箱の開口部へ臨む背面片の前端を背面側に折曲して背面に隣接する内箱の前面片を挟み込むようにして各係止片を形成し、この係止片で挟み込まれる前記内箱の頂端縁と係止片の内頂縁間に収納状態で間隔を設け、最下段の内箱を引き出すことによりこれの前記開口部前面片の頂端縁がその上段の前記内箱係止片の内頂縁に当接し、この上段の内箱を前記間隔だけ牽引して引き出し、この引き出しによりさらに次の段の内箱を所定間隔だけ引き出すことにより順次複数個の内箱を外箱の開口部に階段状に引き出す構成である。
しかしながら、前記従来技術は、内箱が複数個用意され、外箱の内部に引き出し可能に積み重ねて収納され、外箱の開口部と対応する部分に開口部を設けた複数個の内箱とからなり、この内箱の内の最下段の内箱を除くすべての内箱の開口部へ臨む背面片の前端を背面側に折曲して背面に隣接する内箱の前面片を挟み込むようにして各係止片を形成し、この係止片で挟み込まれる前記内箱の頂端縁と係止片の内頂縁間に収納状態で間隔を設け、最下段の内箱を引き出すことによりこれの前記開口部前面片の頂端縁がその上段の前記内箱係止片の内頂縁に当接し、この上段の内箱を前記間隔だけ牽引して引き出し、この引き出しによりさらに次の段の内箱を所定間隔だけ引き出すことにより順次複数個の内箱を外箱の開口部に階段状に引き出すようにされているため、比較的複雑な形状の内箱を複数個用意しなければならず、また、背面片の前端を背面側に折曲して背面に隣接する内箱の前面片を挟み込むようにして各係止片を設けなければならないという問題点があった。
本発明は、これらの問題を解決したケースを提供するものである。
【課題を解決するための手段】
【０００５】
上記の目的を達成することができる本発明の第１発明は、請求項１に記載された通りのケースであり、次のようなものである。
一枚のシート材に、折り曲げしやすいように罫線を設け、折り曲げ形成することで上部に開口部を設けて、この開口部を開閉する上蓋片を有する外箱と、該外箱の底部に対応させて１枚のシート材により連続して凹状部を複数個折り曲げ形成した内箱の底部を接着剤で接着固定し、外箱を開放して内箱の複数個の凹状部を押し付けることで階段状に摺動できる、被収納物を収納・取り出し易くした構成である。
【発明の効果】
【０００６】
本発明に係るケースは、上記説明のような構成を有するので、以下に記載する効果を奏する。
（１）外箱内に内装した複数の収納区画を有する一枚のシート材を折り曲げて一体的に形成した内箱の底部を、外箱の内底部に接着して一体化して、外箱の蓋を開放し、外箱に接着剤で固定された内箱を押し付けることで、折り曲げ形成された凹状部の底部の幅部分ずれて階段状になり、収納したり、収納されている各種カード、ＣＤ、ＦＤを極めて簡単に取り出すことができる。
（２）内箱の材料の使用量が少なくてすみ、しかも製作・組立も簡易である。
（３）組立形状が断面形状台形というデザインとしても優れたものであるため、テーブルや机等に置いてもインテリアとして使用することが出来る。
【図面の簡単な説明】
【０００７】
【図１】本発明のケースの一例を示す外ケースを展開した状態の概略平面図である。
【図２】本発明のケースを半開きにした状態を示す概略斜視図である。
【図３】本発明のケースから取り出した一枚のシート材から形成された内箱を示すもので、（Ａ）は概略正面図、（Ｂ）は傾斜させて押し倒すようにした状態を示す概略正面図である。
【発明を実施するための形態】
【０００８】
一枚のシート材に、折り曲げしやすいように罫線を設け、折り曲げ形成することで上部に開口部を設けて、この開口部を開閉する上蓋片を有する外箱と、該外箱の底部に対応させて１枚のシート材により連続して凹状部を複数個折り曲げ形成した内箱の底部を接着剤で接着固定し、外箱を開放して内箱の複数個の凹状部を押し付けることで階段状に摺動できる、被収納物を収納・取り出し易くしたケースである。
【実施例】
【０００９】
以下、本発明の一実施例を添付図面で詳細に説明する。
ケースは、図１〜図３に示すように外箱１と蛇腹状に折り曲げて形成した内箱２からなるものである。
先ず、外箱１を図１、図２に基づいて詳細に説明する。
外箱１は、各種カード、ＣＤ、ＦＤの被収納物を１枚毎、あるいは２枚毎に区画しながら収納できるもので、内箱２を覆うように少し腰のある厚紙等のシート材で形成したものである。
この形状は、底部３を中心に折り曲げ罫線１２を介して正面片４、背面片５、左右側面片６、正面片の折り返し補強片７を形成し、前記背面片５に連続して罫線１２を介して上蓋片８、さらに上蓋片８に連続して同様に罫線１２を介して開閉自在に係止片９、左右側面片６に連続して罫線１２を介して一番手前の蛇腹状に折り曲げて形成した内箱２の外側を支持する第１支持片１０が設けられている。
なお、この第１支持片１０には、前記一番手前の蛇腹状に折り曲げて形成した内箱２を接着剤等で接着しても良いし、フリーにしても良いものである。
【００１０】
前記第１支持片１０と正面片４に連続して、罫線１２を介して補強片１１を形成する。さらに一番奥側の蛇腹状に折り曲げ形成した内箱２を組み上げた際に支持する第２支持片１３と外箱開放用罫線１５を介してさらに外箱１を開放し易いように補助片１４が形成されている。
なお、外箱開放用罫線１５は外箱１を開放する際、簡易に開放できるように罫線を形成して折り曲げし易くしたものである。
【００１１】
次に、図２、図３に基づいて内箱２について詳細に説明する。
本発明の内箱２は、前記外箱１の底部３の幅に対応するように、一枚の厚紙等のシート材を連続して凹状にし、この凹状を図３（Ａ）に示すように蛇腹状に複数（本実施例では８個としているが、個数は特定するものではなく、種々選択できるものである。）形成したもので、各１ヶ１ヶの凹状部は各種カード、ＣＤ、ＦＤ等の厚みより弱冠大き目の幅を有し、一枚のシート材を折り曲げ形成できるものである。
そして、この内箱の底部１６は、外箱１の底部３に接着剤等で接着固定するもので、図２に示すように外箱１を開蓋して内箱２を階段状に摺動するようにずらして、外箱１の補助片１４を外側に拡開して正面片４を押しつぶすように作用させることによって、図２、図３（Ｂ）のように内箱２の各凹状収納部１７を階段状にずらすことができ、内容物の収納・取り出しが簡易になるものである。この際、凹状収納部１７は階段状にずらされるので、各上部表面部を利用してインデックスの役目を持たせることもできる。
なお、外箱１の上部の３周片、すなわち正面片４の上端は折り返し補強片７により補強され、左右側面片６の上端は、フラップ片１８の折り返しにより補強されるものであり、罫線１２、外箱開放用罫線１５については、適宜設計して工夫できることはいうまでもない。
【００１２】
さらに、外箱１、内箱２の材料については、紙製だけでなく、プラスチック製、金属箔、あるいはこれらを組み合わせたものが採用できる。
また、１９は、内箱２の区画された内容物を取り出す際の手助けになる切り欠き孔である。
【産業上の利用可能性】
【００１３】
板状のもの、例えばレコード盤、小冊子等、大きさを変えることで種々のものに利用することができる。
【符号の説明】
【００１４】
１・・・・外箱
２・・・・内箱
３・・・・底部
４・・・・正面片
５・・・・背面片
６・・・・左右側面片
７・・・・正面片の折り返し補強片
８・・・・上蓋片
９・・・・係止片
１０・・・・第１支持片
１１・・・・補強片
１２・・・・罫線
１３・・・・第２支持片
１４・・・・補助片
１５・・・・外箱開放用罫線
１６・・・・内箱の底部
１７・・・・凹状収納部
１８・・・・フラップ片
１９・・・・切り欠き孔
【図１】
2011079533.tif 000003
【図２】
2011079533.tif 000004
【図３】
2011079533.tif 000005